(57)【特許請求の範囲】
【請求項１】
エンジンと、電動発電機と、前記電動発電機に電力を供給すると共に前記電動発電機が発電機として動作するときに充電されるバッテリと、前記バッテリと前記電動発電機との間で電力の授受を制御するインバータと、を有するハイブリッド自動車において、
前記インバータを含む電動車用機器の温度上昇度の情報と通電電流の情報に基づいて電動車用機器の所定時間後の温度を予測する温度予測手段と、
前記温度予測手段の予測によって、他の電動車用機器に比べて比熱が大きい前記電動車用機器の所定時間後の温度が上限に達すると予測される場合には当該電動車用機器に通常の制御により要求される電流に比べて大きい電流を間欠的に与える電流制御手段と
を有する制御装置を有する、
ことを特徴とするハイブリッド自動車。
【請求項２】
エンジンと、電動発電機と、前記電動発電機に電力を供給すると共に前記電動発電機が発電機として動作するときに充電されるバッテリと、前記バッテリと前記電動発電機との間で電力の授受を制御するインバータと、を有するハイブリッド自動車において、
前記インバータを含む電動車用機器の温度上昇度の情報と通電電流の情報に基づいて電動車用機器の所定時間後の温度を予測する温度予測手段と、
前記温度予測手段の予測によって他の電動車用機器に比べて比熱が小さい前記電動車用機器の所定時間後の温度が上限に達すると予測される場合には当該電動用機器に通常の制御で要求される電流に比べて小さい電流を連続的に与える電流制御手段と
を有する制御装置を有する、
ことを特徴とするハイブリッド自動車。
【請求項３】
請求項１または２に記載のハイブリッド自動車において、
前記温度予測手段は、前記温度上昇度の情報として、予め測定された温度上昇度の情報を用いる、
ことを特徴とするハイブリッド自動車。
【請求項４】
請求項１または２に記載のハイブリッド自動車において、
前記温度予測手段は、前記温度上昇度の情報として、所定時間前から現時点までに実測された温度上昇度の情報を用いる、
ことを特徴とするハイブリッド自動車。
【請求項５】
請求項１から４のいずれか１項に記載のハイブリッド自動車において、
前記インバータを含む電動車用機器の前記温度上昇度の情報を記憶する温度情報記憶手段と、
前記電動車用機器の通電電流をその大きさと時間とについて所定の期間記録する電流情報記憶手段と、
を有し、
前記温度予測手段は、前記温度情報記憶手段に記憶されている前記電動車用機器の前記温度上昇度の情報と前記電流情報記憶手段に記憶されている前記電動車用機器の通電電流の情報に基づいて前記電動車用機器の所定時間後の温度を予測する、
ことを特徴とするハイブリッド自動車。
【請求項６】
エンジンと、電動発電機と、前記電動発電機に電力を供給すると共に前記電動発電機が発電機として動作するときに充電されるバッテリと、前記バッテリと前記電動発電機との間で電力の授受を制御するインバータと、を有するハイブリッド自動車の制御装置が実行する温度管理方法において、
前記インバータを含む電動車用機器の温度上昇度の情報と通電電流の情報に基づいて電動車用機器の所定時間後の温度を予測する温度予測ステップと、
前記温度予測ステップの処理により予測した前記電動車用機器の所定時間後の温度とその電動車用機器の比熱の大きさに応じて前記電動車用機器に流す電流の流し方を変更するステップと、
前記温度予測ステップの処理により他の電動車用機器に比べて比熱が大きい前記電動車用機器の所定時間後の温度が上限に達すると予測される場合には当該電動車用機器に通常の制御により要求される電流に比べて大きい電流を間欠的に与える電流制御ステップと、
を有する、
ことを特徴とする温度管理方法。
【請求項７】
エンジンと、電動発電機と、前記電動発電機に電力を供給すると共に前記電動発電機が発電機として動作するときに充電されるバッテリと、前記バッテリと前記電動発電機との間で電力の授受を制御するインバータと、を有するハイブリッド自動車の制御装置が実行する温度管理方法において、
前記インバータを含む電動車用機器の温度上昇度の情報と通電電流の情報に基づいて電動車用機器の所定時間後の温度を予測する温度予測ステップと、
前記温度予測ステップの処理により他の電動車用機器に比べて比熱が小さい前記電動車用機器の所定時間後の温度が上限に達すると予測される場合には当該電動用機器に通常の制御で要求される電流に比べて小さい電流を連続的に与える電流制御ステップと、
を有することを特徴とする温度管理方法。
【発明の詳細な説明】
【技術分野】
【０００１】
本発明は、ハイブリッド自動車および温度管理方法に関する。
【背景技術】
【０００２】
ハイブリッド自動車は、走行用のエンジンと電動発電機とを有し、エンジンのみによる走行、電動発電機のみによる走行、およびエンジンと電動発電機とが協働する走行が可能である。また、電動発電機に電力を供給すると共に電動発電機が発電機として動作するときに充電されるバッテリを有し、バッテリと電動発電機との間で電力の授受を制御するインバータを有する。
【０００３】
このようなハイブリッド自動車では、電動発電機、インバータ、およびバッテリなどの電動車用機器の温度管理がなされており、上限を超えるような温度上昇があると、電動車用機器の運転は出力を絞る、または停止するような制御が実施される（たとえば、特許文献１，２参照）。
【先行技術文献】
【特許文献】
【０００４】
【特許文献１】特開２００６−２１１８８６号公報
【特許文献２】特開２００９−５４２３号公報
【発明の概要】
【発明が解決しようとする課題】
【０００５】
ハイブリッド自動車が有する電動発電機、インバータおよびバッテリなどの電動車用機器の中で、特にインバータは、多数の電子部品により構成されている。たとえば、インバータは、スイッチング素子、コンデンサ、電流センサ(CT: Current Transformer)などを有する。
【０００６】
これらの電子部品の温度特性は一様ではなく様々である。たとえば、ある電子部品の温度が上限に達したとしても他の電子部品の温度は未だ上限に達していないという状況も有り得る。しかしながら、インバータを構成するいずれか１つの電子部品が上限温度に達してしまうと、他の電子部品が未だ運転可能であってもインバータ全体を一時的に停止させる必要が生じる。これによれば、インバータの運転効率が低下する場合がある。これは、電動発電機やバッテリなどの他の電動車用機器についても同じことがいえる。このようにして、電動車用機器の運転効率が低下すると、エンジンによるアシストの割合が多くなり、ハイブリッド自動車の燃費低減効果を高く保てない場合がある。
【０００７】
本発明は、このような背景の下に行われたものであって、電動車用機器の運転効率を高く保つことができるように電動車用機器の温度管理を実現することができるハイブリッド自動車、および温度管理方法を提供することを目的とする。
【課題を解決するための手段】
【０００８】
本発明は、エンジンと、電動発電機と、電動発電機に電力を供給すると共に電動発電機が発電機として動作するときに充電されるバッテリと、バッテリと電動発電機との間で電力の授受を制御するインバータと、を有するハイブリッド自動車において、インバータを含む電動車用機器の温度上昇度の情報と通電電流の情報に基づいて電動車用機器の所定時間後の温度を予測する温度予測手段と、温度予測手段の予測によって、他の電動車用機器に比べて比熱が大きい電動車用機器の所定時間後の温度が上限に達すると予測される場合には当該電動車用機器に通常の制御により要求される電流に比べて大きい電流を間欠的に与える電流制御手段とを有する制御装置を有するものである。
また、本発明の電流制御手段は、温度予測手段の予測によって他の電動車用機器に比べて比熱が小さい電動車用機器の所定時間後の温度が上限に達すると予測される場合には当該電動用機器に通常の制御で要求される電流に比べて小さい電流を連続的に与えることができる。
【０００９】
このときに、温度予測手段は、温度上昇度の情報として、予め測定された温度上昇度の情報を用いることができる。
【００１０】
あるいは、温度予測手段は、温度上昇度の情報として、所定時間前から現時点までに実測された温度上昇度の情報を用いることができる。
【００１１】
たとえば、インバータを含む電動車用機器の温度上昇度の情報を記憶する温度情報記憶手段と、電動車用機器の通電電流をその大きさと時間とについて所定の期間記録する電流情報記憶手段と、を有し、温度予測手段は、温度情報記憶手段に記憶されている電動車用機器の温度上昇度の情報と電流情報記憶手段に記憶されている電動車用機器の通電電流の情報に基づいて電動車用機器の所定時間後の温度を予測するものである。
【００１３】
本発明の他の観点は、エンジンと、電動発電機と、電動発電機に電力を供給すると共に電動発電機が発電機として動作するときに充電されるバッテリと、バッテリと電動発電機との間で電力の授受を制御するインバータと、を有するハイブリッド自動車の制御装置が実行する温度管理方法において、インバータを含む電動車用機器の温度上昇度の情報と通電電流の情報に基づいて電動車用機器の所定時間後の温度を予測する温度予測ステップと、温度予測ステップの処理により予測した電動車用機器の所定時間後の温度とその電動車用機器の比熱の大きさに応じて電動車用機器に流す電流の流し方を変更するステップと、温度予測ステップの処理により他の電動車用機器に比べて比熱が大きい電動車用機器の所定時間後の温度が上限に達すると予測される場合には当該電動車用機器に通常の制御により要求される電流に比べて大きい電流を間欠的に与える電流制御ステップと、を有するものである。
また、本発明の電流制御ステップは、温度予測ステップの処理により他の電動車用機器に比べて比熱が小さい電動車用機器の所定時間後の温度が上限に達すると予測される場合には当該電動用機器に通常の制御で要求される電流に比べて小さい電流を連続的に与えることができる。
【発明の効果】
【００１５】
本発明によれば、電動車用機器の運転効率を高く保つことができるように電動車用機器の温度管理を実現することができる。
【図面の簡単な説明】
【００１６】
【図１】本発明の実施の形態に係るハイブリッド自動車の要部構成図である。
【図２】図１の制御装置の構成図である。
【図３】図２の電力授受パターン変更部が選択する電力授受パターンのうち比較的大きな電流を短時間流すことを繰り返すパターンを示す図である。
【図４】図２の電力授受パターン変更部が選択する電力授受パターンのうち比較的小さな電流を連続的に流すパターンを示す図である。
【図５】図１の制御装置の動作を示すフローチャートである。
【発明を実施するための形態】
【００１７】
本発明の実施の形態に係るハイブリッド自動車１について図１〜図５を参照しながら説明する。
【００１８】
ハイブリッド自動車１の要部構成を図１を参照しながら説明する。
【００１９】
ハイブリッド自動車１は、図１に示すように、制御装置１０、エンジン１１、電動発電機１２、バッテリ１３、インバータ１４、およびクラッチ１５を要部構成として有する。電動発電機１２の出力は、プロペラシャフト１６、ディファレンシャルギア１７を介して駆動輪１８に伝達される。また、電動発電機１２とプロペラシャフト１６との間には、トランスミッション１９が配置される。トランスミッション１９は、たとえばAMT(Automated Manual Transmission)と呼ばれるものであり、ハイブリッド自動車１の走行中には、車速や要求トルクなどに応じて自動的に変速される機械式の変速装置である。
【００２０】
このような構成を有するハイブリッド自動車１は、エンジン１１による走行（エンジン走行モード）、電動発電機１２による走行（電動走行モード）、エンジン１１と電動発電機１２とが協働する走行（ハイブリッド走行モード）のいずれかの走行モードが選択可能であり、減速中または下り勾配路を走行中には、駆動輪１８の回転力により電動発電機１２を発電機として動作させてバッテリ１３に充電（回生）が可能である。また、ハイブリッド自動車１は、エンジン走行モードで走行中には、電動発電機１２をエンジン１１の動力によって発電機として動作させてバッテリ１３に充電が可能である。
【００２１】
制御装置１０は、エンジン１１、電動発電機１２、バッテリ１３、インバータ１４、およびクラッチ１５の動作を制御する。なお、実際には、エンジン１１、電動発電機１２、バッテリ１３、インバータ１４、およびクラッチ１５に、それぞれ個別のＥＣＵ(Electric Control Unit)が配置され、これらが互いにＣＡＮ(Controller Area Network)通信を行いながら協働して制御を実施している場合があるが、ここでは１つの制御装置１０として説明する。
【００２２】
エンジン１１は、ガソリン、軽油、またはＣＮＧ(Compressed Natural Gas)などを燃料とする内燃機関である。なお、適用が可能であれば、エンジン１１を内燃機関に限定するものではない。
【００２３】
電動発電機１２は、バッテリ１３から供給される電力によって、ハイブリッド自動車１の走行用の動力を発生するものであると共に、他からの動力によって駆動されることで、バッテリ１３に充電を行う発電機としても動作する。ここで電動発電機１２を発電機として動作させる動力としては、たとえば、エンジン１１の動力である。その他にもハイブリッド自動車１の減速時や下り勾配路の走行中などに、駆動輪１８の回転がディファレンシャルギア１７およびプロペラシャフト１６を介して電動発電機１２に伝達されることでも電動発電機１２は発電機として動作する。
【００２４】
バッテリ１３は、電動発電機１２に電力を供給すると共に、電動発電機１２が発電機として動作する際には、電動発電機１２が発電した電力によって充電される。
【００２５】
インバータ１４は、バッテリ１３の直流電力を３相交流電力に変換して電動発電機１２に供給すると共に、電動発電機１２が発電機として動作する際には、電動発電機１２が発電する３相交流電力を直流電力に変換してバッテリ１３に供給する整流器としても動作する。よって、バッテリ１３から電動発電機１２に電力が供給されているときには、インバータ１４の出力を絞る、または停止することにより、電動発電機１２のトルクを絞る、または停止することになる。一方、電動発電機１２からバッテリ１３に電力が供給されているときには、インバータ１４の出力を絞る、または停止することにより、バッテリ１３の充電電力を絞る、または停止することになる。
【００２６】
クラッチ１５は、エンジン１１と電動発電機１２との間の動力伝達を接断する。クラッチ１５が接続されていると、ハイブリッド自動車１は、電動発電機１２によってエンジン１１を始動させることができる。また、クラッチ１５が接続されていると、ハイブリッド自動車１は、エンジン１１のみによるエンジン走行モードおよびエンジン１１と電動発電機１２とが協働するハイブリッド走行モードのいずれかが選択可能になる。また、クラッチ１５が接続されていると、ハイブリッド自動車１は、エンジン１１により電動発電機１２を発電機として動作させることができる。
【００２７】
一方、クラッチ１５が切断されていると、ハイブリッド自動車１は、電動発電機１２のみによる電動走行モードに際し、エンジン１１のフリクションを受けることなく効率良く走行可能である。また、クラッチ１５が切断されていると、ハイブリッド自動車１は、電動発電機１２が回生を実施しているときに、エンジン１１のフリクションを受けることなく効率良く回生が可能である。
【００２８】
このようなハイブリッド自動車１の制御装置１０は、インバータ１４を含む電動車用機器の温度上昇度の情報と通電電流の情報に基づいて電動車用機器の所定時間後の温度を予測し、予測した電動車用機器の所定時間後の温度とその電動車用機器の比熱の大きさに応じて電動車用機器に流す電流の流し方を変更する。ここで温度上昇度の情報とは、電動車用機器の使われ方に対してどのように温度が上昇して行くかの情報であり、たとえば、電動車用機器のいずれかに対してある電流値を所定時間流すとどれくらい温度が上昇するかという情報である。
【００２９】
このときに、温度上昇度の情報として、予め測定された温度上昇度の情報を用いることもできるし、温度上昇度の情報として、所定時間前から現時点までに実測された温度上昇度の情報を用いることもできる。
【００３０】
本実施の形態では、図２に示すように、インバータ１４を含む電動車用機器の温度上昇度の情報を記憶する温度情報記憶部２０と、電動車用機器の通電電流をその大きさと時間とについて所定の期間記録する電流情報記憶部２１と、温度情報記憶部２０に記憶されている電動車用機器の温度上昇度の情報と電流情報記憶部２１に記憶されている電動車用機器の通電電流の情報に基づいて電動車用機器の所定時間後の温度を予測する温度予測部２２と、温度予測部２２が予測した電動車用機器の所定時間後の温度とその電動車用機器の比熱の大きさに応じて電動車用機器に流す電流の流し方を変更する手段としての電流波形変更部２３と、を有する。
【００３１】
なお、本実施の形態では、電動車用機器の例として、インバータ１４の他にも電動発電機１２およびバッテリ１３も含む。特に、インバータ１４については、その構成部材であるスイッチング素子、コンデンサ、および電流センサ（たとえば、特開２０１３−１４６１２８号公報の図１等参照）に分けて温度上昇度の情報と通電電流の情報を記憶する。以下では、説明の便宜上、これら電動発電機１２、バッテリ１３、およびインバータ１４の構成部材であるスイッチング素子、コンデンサ、および電流センサを部材または各部材と総称する。
【００３２】
これらの各部材は、一定の電力（エネルギ）を与えたときに、それぞれ温度の上がり方、下がり方が一様ではない。たとえば、電動発電機１２は、他の部材に比べて比熱が大きいため、温度は上がり難く下がり難い。また、バッテリ１３も他の部材に比べて比熱は大きい。また、インバータ１４の構成部材では、コンデンサや電流センサも他の部材に比べて比熱は大きい。
【００３３】
一方、インバータ１４の構成部材の中で、スイッチング素子に用いられるＩＧＢＴ(絶縁ゲートバイポーラトランジスタ:Insulated Gate Bipolar Transistor）などは、他の部材に比べて比熱が小さいため、特にＰＮジャンクション付近の温度は上がり易く下がり易い。温度情報記憶部２０は、これら各部材の温度上昇度の情報を記憶している。
【００３４】
電流情報記憶部２１は、各部材の通電電流の大きさと時間を所定の期間記憶する。
【００３５】
温度予測部２２は、電流情報記憶部２１に記憶されている各部材の通電電流の情報と温度情報記憶部２０に記憶されている各部材の温度上昇度の情報に基づき各部材の所定時間後の温度を予測する。
【００３６】
たとえば、温度情報記憶部２０には、各部材の温度上昇度の情報が予め記憶されているので、電流情報記憶部２１に記憶されている各部材の所定時間の通電電流の大きさがわかると、その大きさの通電電流が今後さらに所定時間流れ続けたと仮定した場合の各部材の温度を予測することができる。
【００３７】
電流波形変更部２３は、インバータ１４を制御することにより、バッテリ１３と電動発電機１２との間の電流の流し方を制御することができる。電流波形変更部２３は、他の部材に比べて比熱が大きな部材の温度が所定時間後に上限に達すると予測される場合には、図３に示すように、通常の制御により要求される電流（ここでは正弦波波形の電流）に比べて大きな電流を短時間だけ流すことを繰り返す電流の流し方を選択する（このような電流の流し方を大電流瞬時を繰り返す電流の流し方と称する。）。これによれば、比熱が大きな部材は、一瞬だけ大きな電流が流れても殆ど温度は上昇しないので、電力を供給しつつ温度の上昇を抑えることができる。
【００３８】
一方、電流波形変更部２３は、他の部材に比べて比熱が小さな部材の温度が所定時間後に上限に達すると予測される場合には、図４に示すように、通常の制御により要求される電流に比べて小さな電流を連続的に流すという電流の流し方を選択する（このような電流の流し方を小電流連続の電流の流し方と称する。）。これによれば、比熱が小さな部材は、大きな電流に対してはすぐに温度が上昇するので、小さい電流を連続的に流すことで、電力を供給しつつ温度の上昇を抑えることができる。
【００３９】
次に、制御装置１０の動作を図５のフローチャートを参照しながら説明する。図５のフローチャートは、制御装置１０の中の電流波形変更部２３の動作を示している。図５のフローチャートにおけるＳＴＡＲＴの条件は、ハイブリッド自動車１のキースイッチ（不図示）がＯＮ状態であり、制御装置１０が稼働中という条件である。なお、図５のフローチャートのＳＴＡＲＴからＥＮＤまでの処理は、１周期分の処理であり、１周期分の処理が終了（ＥＮＤ）してもＳＴＡＲＴの条件が満たされていれば、処理は、再び開始（ＳＴＡＲＴ）される。また、ＳＴＡＲＴの時点では、各部材の温度は上限に達しない範囲にあり、電流波形変更部２３は、正弦波に近い電流波形でインバータ１４の電流を制御している。
【００４０】
ハイブリッド自動車１のキースイッチがＯＮ状態に操作されて制御装置１０が稼働し、ＳＴＡＲＴの条件が満たされると、処理は、ステップＳ１に進む。
【００４１】
ステップＳ１において、電流波形変更部２３は、温度予測部２２において、各部材の所定時間後の温度は予測できたか否かを判定する。ステップＳ１において、各部材の所定時間後の温度は予測できたと判定されると、処理は、ステップＳ２に進む。ステップＳ１において、未だ各部材の所定時間後の温度は予測できていないと判定されると、処理は、ステップＳ１を繰り返す。
【００４２】
ステップＳ２において、電流波形変更部２３は、所定時間後に上限温度に達すると予測される部材はあるか否かを判定する。ステップＳ２において、所定時間後に上限温度に達すると予測される部材があると判定されると、処理は、ステップＳ３に進む。一方、ステップＳ２において、所定時間後に上限温度に達すると予測される部材が無いと判定されると、処理は、ステップＳ１に戻る。
【００４３】
ステップＳ３において、電流波形変更部２３は、比熱の小さい部材（たとえば、インバータ１４のスイッチング素子（ＩＧＢＴなど））が所定時間後に上限温度に達すると予測されるか否かを判定する。ステップＳ３において、比熱の小さい部材が所定時間後に上限温度に達すると予測されると判定されると、処理は、ステップＳ４に進む。一方、ステップＳ３において、比熱の小さい部材が所定時間後に上限温度に達すると予測されていないと判定されると、処理は、ステップＳ６に進む。
【００４４】
たとえば、ハイブリッド自動車１が頻繁に発進停止を繰り返す場合には、インバータ１４のスイッチング素子（ＩＧＢＴなど）に対し、発進時に大きな電流が流れるため、比熱の小さいスイッチング素子の温度が上昇する。このような場合には、ステップＳ３でＹｅｓとなって、処理は、ステップＳ４に進む。一方、ハイブリッド自動車１が連続する登坂路を走行中であれば、バッテリ１３からインバータ１４を介して電動発電機１２へほぼ一定の電流が流れ続ける。このため、比熱の大きいバッテリ１３および電動発電機１２の温度が上昇する。また、インバータ１４を構成する部材のうち比熱の大きいコンデンサや電流センサの温度が上昇する。これは連続する降坂路でも同様であり、降坂路の場合には、電動発電機１２からインバータ１４を介してバッテリ１３へほぼ一定の電流が流れ続ける。このような場合には、ステップＳ３でＮｏとなって、処理は、ステップＳ６に進む。
【００４５】
ステップＳ４において、電流波形変更部２３は、ステップＳ３で、比熱の小さい部材が所定時間後に上限温度に達すると予測されたので、この温度上昇を抑えるために、図４に示す小電流連続の電流の流し方を選択する。ステップＳ４において、小電力連続の電流の流し方が選択されると、処理は、ステップＳ５に進む。
【００４６】
ステップＳ５において、電流波形変更部２３は、所定時間後に上限温度に達すると予測される部材は無くなったか否かを判定する。ステップＳ５において、所定時間後に上限温度に達すると予測される部材は無くなったと判定されると、１周期分の処理を終了する（ＥＮＤ）。一方、ステップＳ５において、上限温度に達すると予測される部材は無くならないと判定されると、処理は、ステップＳ７に進む。
【００４７】
ステップＳ６において、電流波形変更部２３は、比熱の大きい部材（たとえば、電動発電機１２、バッテリ１３、インバータ１４のコンデンサおよび電流センサ）が所定時間後に上限温度に達すると予測されたので、図３に示す大電流瞬時を繰り返す電流の流し方を選択する。ステップＳ６において、図３に示す大電流瞬時を繰り返す電流の流し方が選択されると、処理は、ステップＳ５に進む。
【００４８】
ステップＳ７は、ステップＳ１〜Ｓ６までの処理を実施しても所定時間後の上限温度に達する部材が存在する場合に適用する処理である。ステップＳ７において、制御装置１０は、所定時間後に上限温度に達すると予測される部材の出力を絞る、または停止させ、１周期分の処理を終了する（ＥＮＤ）。なお、ステップＳ７において、所定時間後に上限温度に達すると予測される部材の出力を絞る、または停止させた後に、この部材の温度が所定時間後に上限温度に達しないと予測されるようになった場合の処理については、従来からの処理であるので、詳細な説明は省略する。たとえば、ステップＳ７において、所定時間後に上限温度に達すると予測される部材の出力を絞る、または停止させた後に、この部材の温度が所定時間後に上限温度に達しないと予測されるようになった場合には、自動的に、この部材の出力を上げる、または出力を開始する処理をフローチャートが終了（ＥＮＤ）する前段に設けてもよい。
【００４９】
このように、制御装置１０は、温度予測部２２が予測した所定時間後の各部材の温度とその部材の比熱の大きさに応じて、インバータ１４を介するバッテリ１３と電動発電機１２との間の電流の流し方を適宜変更する（図５のステップＳ４，Ｓ６）。これによれば、所定時間後に上限温度に達すると予測される部材について、出力を絞ったり、または停止させることなく、温度の上昇を抑える、または温度を下降させることにより、ステップＳ７で所定時間後に上限温度に達すると予測されるした部材の出力を絞ったり、または停止させる機会を少なくし、各部材（電動発電機１２、バッテリ１３、インバータ１４）の運転効率を高くすることができる。このようにして、電動車用機器（電動発電機１２、バッテリ１３、インバータ１４など）の運転効率を高くすると、エンジン１１によるアシストの割合を少なくすることができ、ハイブリッド自動車１の燃費低減効果を高く保つことができる。
【００５０】
（その他の実施の形態）
上述した本実施の形態では、電動車用機器の例として、電動発電機１２、バッテリ１３、およびインバータ１４について説明したが、制御装置１０の制御対象を電動発電機１２、バッテリ１３、およびインバータ１４に限定するものではない。
【００５１】
また、制御装置１０は、情報処理装置が予めインストールされている所定のプログラムを実行することによって実現することができる。このような情報処理装置は、たとえば、不図示のメモリ、ＣＰＵ(Central Processing Unit)、入出力ポートなどを有する。情報処理装置のＣＰＵは、メモリなどから所定のプログラムとして制御プログラムを読み込んで実行する。これにより、情報処理装置には、制御装置１０の機能が実現される。なお、ＣＰＵの代わりにＡＳＩＣ(Application Specific Integrated Circuit)、マイクロプロセッサ（マイクロコンピュータ）、ＤＳＰ(Digital Signal Processor)などを用いてもよい。また、後述する設定値保存部１２ｍは、上述のメモリ（不図示）内の一部の記憶領域に実現される。
【００５２】
また、上述の所定のプログラムは、制御装置１０の出荷前に、情報処理装置のメモリなどに記憶されたものであっても、制御装置１０の出荷後に、情報処理装置のメモリなどに記憶されたものであってもよい。また、プログラムの一部が、制御装置１０の出荷後に、情報処理装置のメモリなどに記憶されたものであってもよい。制御装置１０の出荷後に、情報処理装置のメモリなどに記憶されるプログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００５３】
また、上述の所定のプログラムは、情報処理装置によって直接実行可能なものだけでなく、ハードディスクなどにインストールすることによって実行可能となるものも含む。また、圧縮されたり、暗号化されたりしたものも含む。
【００５４】
このように、情報処理装置とプログラムによって制御装置１０を実現することにより、大量生産や仕様変更（または設計変更）に対して柔軟に対応可能となる。
【００５５】
なお、情報処理装置が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【符号の説明】
【００５６】
１…ハイブリッド自動車、１０…制御装置、１１…エンジン、１２…電動発電機、１３…バッテリ、１４…インバータ、１５…クラッチ、２０…温度情報記憶部（温度情報記憶手段）、２１…電流情報記憶部（電流情報記憶手段）、２２…温度予測部（温度予測手段）、２３…電流波形変更部（変更する手段）
【図１】
0006367647.tif 000002
【図２】
0006367647.tif 000003
【図３】
0006367647.tif 000004
【図４】
0006367647.tif 000005
【図５】
0006367647.tif 000006